(57)【特許請求の範囲】
【請求項１】
配電盤内に設けられた第１遮断器及び第２遮断器と、前記第１及び第２遮断器の各々に設けられ電気的に接離する３相の電源側接続部及び負荷側接続部と、前記第１及び第２遮断器の前記負荷側接続部に接続され断面形状が丸型形状に形成された３相の負荷側導体と、前記第１及び第２遮断器の電源側接続部同士を接続し断面形状が丸型形状に形成された３相の電源側母線導体とを備え、前記３相の電源側母線導体のうち両側に位置する電源側母線導体に、外側に広がるように湾曲した湾曲部を形成すると共に、前記３相の電源側母線導体のうち中間に位置する電源側母線導体に、前記両側に位置する電源側母線導体に形成した前記湾曲部の一方側と同方向に湾曲する湾曲部を形成し、前記３相の負荷側導体のうち一つを同方向に湾曲部を形成した隣接する電源側母線導体間から引出し、前記３相の負荷側導体のうち残る二つを外側に広がるように湾曲した湾曲部を形成した隣接する電源側母線導体間から引出すことを特徴とする配電盤の導体配置構造。
【請求項２】
配電盤内に設けられた第１遮断器及び第２遮断器と、前記第１及び第２遮断器の各々に設けられ電気的に接離する３相の電源側接続部及び負荷側接続部と、前記第１及び第２遮断器の前記負荷側接続部に接続され断面形状が丸型形状に形成された３相の負荷側導体と、前記第１及び第２遮断器の電源側接続部同士を接続し断面形状が丸型形状に形成された３相の電源側母線導体と、前記配電盤の側面板から前記電源側母線導体側に突起する突起部に設けた電界緩和手段とを備え、前記３相の電源側母線導体のうち両側に位置する電源側母線導体に、外側に広がるように湾曲した湾曲部を形成すると共に、前記３相の電源側母線導体のうち中間に位置する電源側母線導体に、前記電界緩和手段側に湾曲する湾曲部を形成し、かつ、前記３相の負荷側導体のうち一つを同方向に湾曲部を形成した隣接する電源側母線導体間から引出し、前記３相の負荷側導体のうち残る二つを外側に広がるように湾曲した湾曲部を形成した隣接する電源側母線導体間から引出すことを特徴とする配電盤の導体配置構造。
【請求項３】
前記電源側母線導体と負荷側導体とは、絶縁物で被覆されていることを特徴とする請求項１又は２記載の配電盤の導体配置構造。
【発明の詳細な説明】
【０００１】
【発明の属する技術分野】
本発明は電源側母線導体と負荷側導体との配置、及びそれ等を収納する配電盤の導体とこれに接近して配置される接地金属板の端面形状を改良した配電盤の導体配置構造及び引出導体に関する。
【０００２】
【従来の技術】
一般に配電盤内の導体配置構造は配電盤の側面の接地金属板や、盤内に設置した接地された金具に規定の沿面絶縁距離を有する支持碍子上に導体が配置され、且つ異相導体間距離や、導体と配電盤を構成する接地された金属遮蔽板との距離を気中絶縁上最も電界が集中する針−平板構造の導体や、接地金属板を想定して絶縁が絶縁破壊しない離隔寸法で構成している。
【０００３】
又、短絡電流の小さな系統では絶縁電線で全て構成している配電盤もあるが、短絡電流の大きな系統や通電電流の大きな系統の配電盤には、通電容量や短絡時の熱的、機械的な影響を考慮して導体で構成されている。
【０００４】
【発明が解決しようとする課題】
従来から交差する電源側母線導体と負荷側導体とを収納する配電盤の外形寸法を縮小化する為には、この異相間導体間寸法や、導体の対地間距離即ち接地金属間の絶縁寸法を縮小し、配電盤を小型化すること、及び負荷側導体の電力損失を少なくすること等の要望がある。尚、配電盤内の負荷側導体及び電源側母線導体の配置に関する技術として特開昭６３−１７８７０５号公報を挙げることができる。
【０００５】
本発明の目的は、電力損失を少なくすると共に、縮小化した配電盤を提供する事に有る。
【０００６】
【課題を解決するための手段】
前述の目的を達成する為に、本発明では、３相の負荷側導体と３相の電源側母線導体とを断面形状が丸型形状に形成し、これら３相の電源側母線導体と３相の負荷側導体とが交差する交差部分では、前記３相の電源側母線導体のうち両側に位置する電源側母線導体に、外側に広がるように湾曲した湾曲部を形成すると共に、前記３相の電源側母線導体のうち中間に位置する電源側母線導体に、前記両側に位置する電源側母線導体に形成した前記湾曲部の一方側と同方向に湾曲する湾曲部を形成し、前記３相の負荷側導体のうち一つを同方向に湾曲部を形成した隣接する電源側母線導体間から引出し、前記３相の負荷側導体のうち残る二つを外側に広がるように湾曲した湾曲部を形成した隣接する電源側母線導体間から引出すことを特徴とする。
【０００７】
【発明の実施の形態】
以下、本発明の実施例を図１から図３により説明する。図１において、配電盤１内には例えば第１遮断器となる上段遮断器２と第２遮断器となる下段遮断器３とを２段積に配置している。上段遮断器２及び下段遮断器３には各々３相の電源側接続部４と負荷側接続部５とが設けられている。電源側接続部４と負荷側接続部５とは、図１及び図２に示すように、配電盤１内に設けられた仕切板１Ａを貫通して３相の電源側母線導体６と負荷側導体７とに各々接続されている。
【０００８】
上段遮断器２及び下段遮断器３は、位置Ａから位置Ｂに移動することにより、電源側接続部４及び負荷側接続部５は電源側母線導体６及び負荷側導体７に電気的に接続され、位置Ｂから位置Ａに移動することで、上段遮断器２及び下段遮断器３は、電源側母線導体６及び負荷側導体７から電気的に切り離される。
【０００９】
３相の電源側母線導体６は、断面形状が丸型形状に形成され、配電盤１内の天井面に取付けられた絶縁碍子８に支持されている。そして、電源側母線導体６は、電源側縦母線導体１０（１０Ａ〜１０Ｃ）を有し、これら電源側縦母線導体１０（１０Ａ〜１０Ｃ）によって上段遮断器２及び下段遮断器３の電源側接続部４同士間を縦方向に接続している。負荷側導体７は、３相の負荷側導体７Ａ〜７Ｃを有し、前記上段遮断器２及び下段遮断器３の負荷側接続部５から前記電源側縦母線導体１０Ａ〜１０Ｃと交差するように引出され、変流器１１を介して例えばモータ、電灯等の負荷に接続されている。
【００１０】
３相の電源側縦母線導体１０Ａ〜１０Ｃのうち、両側に位置する電源側縦母線導体１０Ａ，１０Ｃに、外側に広がるように湾曲した湾曲部１２Ａ，１２Ｃを形成し、中間に位置する電源側縦母線導体１０Ｂに、前記両側に位置する電源側縦母線導体１０Ａ，１０Ｃに形成した前記湾曲部１２Ａ，１２Ｃの一方側、ここでは湾曲部１２Ａと同方向に湾曲する湾曲部１２Ｂを形成している。そして、隣接する電源側縦母線導体１０Ａ，１０Ｂの湾曲部１２Ａ，１２Ｂ間を通して負荷側導体７Ａを引出し、隣接する電源側縦母線導体１０Ｂ，１０Ｃの湾曲部１２Ｂ，１２Ｃ間を通して負荷側導体７Ｂ，７Ｃを引出している。
【００１１】
このように、電源側母線導体６（電源側縦母線導体１０Ａ〜１０Ｃを含む）と負荷側導体７（７Ａ〜７Ｃ）の断面形状を丸型形状とすることで、電界の集中を緩和することができ、さらに、電源側縦母線導体１０Ａ〜１０Ｃを湾曲させその湾曲部１２Ａ〜１２Ｃを利用して負荷側導体７Ａ〜７Ｃを引き出すようにしたので、電源側縦母線導体１０Ａ〜１０Ｃと負荷側導体７Ａ〜７Ｃとの絶縁距離は湾曲部１２Ａ〜１２Ｃによって確保できる。その結果、配電盤１の幅寸法を広くすることなく負荷側導体７Ａ〜７Ｃを最短距離で外側に引出すことができ、負荷側導体７Ａ〜７Ｃの電力損失を少なくすることができる。
【００１２】
３相の電源側縦母線導体１０Ａ〜１０Ｃと負荷側導体７Ａ〜７Ｃとは互いに対向して配置されるから、作業員が対向面を一目すれば、配線がされているか否かすぐに判断できるので、作業ミスを少なくすることが出来る。
【００１３】
又、３相の電源側縦母線導体１０Ａ〜１０Ｃと負荷側導体７Ａ〜７Ｃとに対向する変流器１１は電界の厳しい箇所では、シールド１３を設けて、電界集中を緩和している。更に湾曲部１２Ａ，１２Ｃに較べて中間の湾曲部１２Ｂの湾曲を小さくすることで、隣接する相間距離Ｇを均等に出来る。
【００１４】
図３（Ａ）は配電盤１の側面板１Ｂを図３（Ｂ）のように電源側縦母線導体１０Ａ，１０Ｃ側に突起部１６Ａを形成し、突起部１６Ａ間を貫通したボルトにナットを締付けて固定するか、或いは溶接により固定している。この場合、一方の突起部１６Ａは他方の突起部を包囲するように円形状に曲げてシールド１６を形成している。また接合する突起部１６Ａの長さが等しいときには、一方の突起部の先端を包囲するシールドを取付けたり、或いは突起部の先端を絶縁物で被覆する等の電界緩和手段を設ければ良い。
【００１５】
この結果、突起部１６Ａの電界集中は図３（Ｃ）のようにシールド１６により緩和され、シールド１６と各電源側縦母線導体１０Ａ，１０Ｃとの間の絶縁距離は電界２０が緩和された分だけ縮小できるので、配電盤の幅寸法を縮小することができるばかりか、また中間の電源側縦母線導体１０Ｂのみを電源側縦母線導体１０Ａ側に湾曲する湾曲部１２Ｂを形成すればよいから、湾曲部１２Ａ，１２Ｃを加工する工程が少なくて良い。
【００１６】
また湾曲部１２Ｂを有すると電源側縦母線導体１０Ｂと湾曲部１２Ｂ側に位置する電源側縦母線導体１０Ａとの間から一つの負荷側導体７Ａを最短距離で引出し、湾曲部１２Ｂによって間隔が広くなった電源側縦母線導体１０Ｂと電源側縦母線導体１０Ｃとの間から残る二つの負荷側導体７Ｂ，７Ｃを最短距離で引出すことができる。
【００１７】
【００１８】
また交差部の３相の電源側縦母線導体１０Ａ〜１０Ｃと負荷側導体７Ａ〜７Ｃとを絶縁物で被覆することで、電源側縦母線導体１０Ａ〜１０Ｃと負荷側導体７Ａ〜７Ｃとの間の絶縁距離を更に縮小できるので、配電盤の幅寸法を更に縮小でき、配電盤を小型化することができる。
【００１９】
【００２０】
【００２１】
【発明の効果】
以上のように、本発明によれば、各相の負荷側導体を電源側母線導体の湾曲部と交差しながら最短距離で外側に引出すことが出来るので、各負荷側導体での電力損失が少なくなって経済的であるばかりか、また配電盤を小型化することができる。
【図面の簡単な説明】
【図１】  本発明の実施例として示した配電盤の側断面図。
【図２】  図１の配電盤を盤裏面から見た電源側縦母線導体と負荷側導体の配置を示した断面図。
【図３】  本発明の他の実施例と示した電源側縦母線導体と負荷側導体とに断面形状が円形状の丸型導体を使用した図。
【符号の説明】
１…配電盤、２…上段遮断器、３…下段遮断器、４…電源側接続部、５…負荷側接続部、６…電源側母線導体、７，７Ａ〜７Ｃ…負荷側導体、１０，１０Ａ〜１０Ｃ…電源側縦母線導体、１２Ａ〜１２Ｃ…湾曲部、１６…シールド、１６Ａ…突起部。
【図１】
0004008216.tif 000002
【図２】
0004008216.tif 000003
【図３】
0004008216.tif 000004